(57)【特許請求の範囲】
【請求項１】
インクリボンを巻回した供給コアと巻き取りコアとを内部に収納する本体部と、この本体部から一方側に延びて形成されたリボン案内部と、このリボン案内部の先端部に形成したリボン折り返し部とを備え、前記インクリボンは、前記本体部のリボン引き出し口から外部に一旦引き出されて、前記リボン折り返し部で折り返された状態から、再度前記本体部内に引き入れられて前記巻取りコアで巻き取り可能とし、前記供給コアと前記巻取りコアとを前記本体部に前記リボン案内部の延びる方向と直交する方向に形成された一対の側壁間で回転可能に支持するようにしたインクリボンカセットであって、
前記本体部は、前記リボン案内部を有すると共に前記インクリボンの巻回した前記供給コアと前記巻取りコアとを保持するホルダー部材と、前記供給コアと前記巻取りコアとを第１と第２のケースで外部から覆うように挟み込んで、前記ホルダー部材を保持可能なケース部材とを備え、
前記ホルダー部材には、一対の円形状の軸受け部を有する第１側壁と一対の半円状の軸受け部を有する第２側壁とが形成され、前記ケース部材の前記第２ケースには、前記第２側壁と対向する部分に一対の半円状の軸受け部を有する第３側壁が形成され、前記第１側壁の前記円形の軸受け部で前記供給コアと前記巻取りコアの一端部側を支持すると共に、前記供給コアと前記巻取りコアの他端部側を前記第２と第３側壁の前記半円状の軸受け部で支持するようにしたことを特徴とするインクリボンカセット。
【請求項２】
インクリボンを巻回した供給コアと巻き取りコアとを内部に収納する本体部と、この本体部から一方側に延びて形成されたリボン案内部と、このリボン案内部の先端部に形成したリボン折り返し部とを備え、前記インクリボンは、前記本体部のリボン引き出し口から外部に一旦引き出されて、前記リボン折り返し部で折り返された状態から、再度前記本体部内に引き入れられて前記巻取りコアで巻き取り可能とし、前記供給コアと前記巻取りコアとを前記本体部に前記リボン案内部の延びる方向と直交する方向に形成された一対の側壁間で回転可能に支持するようにしたインクリボンカセットであって、
前記本体部は、前記リボン案内部を有すると共に前記インクリボンの巻回した前記供給コアと前記巻取りコアとを保持するホルダー部材と、前記供給コアと前記巻取りコアとを第１と第２のケースで外部から覆うように挟み込んで、前記ホルダー部材を保持可能なケース部材とを備え、
前記ホルダー部材には、一対の半円状の軸受け部をそれぞれ有する第１と第２側壁が形成され、前記ケース部材の前記第２ケースには、前記第１、第２側壁と対向する部分に一対の半円状の軸受け部をそれぞれ有する第３と第４側壁が形成され、前記供給コアと前記巻取りコアの一端部側を前記第１と第３側壁の前記軸受け部で支持すると共に、前記供給コアと前記巻取りコアの他端部側を前記第２と第４側壁の前記軸受け部で支持するようにしたことを特徴とするインクリボンカセット。
【請求項３】
前記ケース部材は、樹脂材料で形成され、前記第１と第２のケースは、薄肉のヒンジ部で結合され、このヒンジ部を介して、前記第１と第２のケースが回動可能になっていることを特徴とする請求項１、または２記載のインクリボンカセット。
【請求項４】
前記ケース部材は、前記第１ケース、または／および第２ケースを回動させることにより、係脱可能な係止部を有し、前記第１と第２のケースで挟み込んだ前記ホルダー部材を、前記係止部の係脱を行って、着脱可能としたことを特徴とする請求項１、２、または３記載のインクリボンカセット。
【発明の詳細な説明】
【０００１】
【発明の属する技術分野】
本発明はインクリボンカセットに係わり、特に、インクリボンを巻回した供給紙コア、及び巻取りコアの組み込みが容易なインクリボンカセットに関する。
【０００２】
【従来の技術】
従来のインクリボンカセットは、図示を省略するが、供給コアと巻取りコアとに巻回されたインクリボンが、ケースの内部に収納されている。
前記供給コアと巻取りコアとは、両端部がケースの一方と他方の側壁に形成した円形状の軸受け部に支持され、供給コアと巻取りコアとは回転自在になっている。
【０００３】
そして、例えば、ワープロ等に多用されているシリアル式の熱転写プリンタに用いられるインクリボンカセットは、インクリボンの幅寸法が比較的小さかったので、供給コアと巻取りコアの長さが短かった。
このようなインクリボンカセットの組立は、インクリボンカセットを構成するケースの一方の側壁を水平状に位置させた状態で、一方の側壁の軸受け部に供給コアと巻取りコアの一端部を挿入する。
すると、供給コアと巻取りコアとは、水平状の一方の側壁に対して垂直状に支持される。この時、供給コアと巻取りコアは長さが短いので、一端部がガタついても、自由端状の他端部が大きく傾倒することはない。
次に、一方の側壁の上から他方の側壁をかぶせると、一方と他方の側壁がスナップ係合されて一体化されると共に、他方の側壁の軸受け部に供給コアと巻取りコアの他端部が挿入される。そして、供給コアと巻取りコアとを、ケース内部に回転自在に収納することができる。
【０００４】
【発明が解決しようとする課題】
しかし、デジタルカメラ等に用いられる携帯型で小型の熱転写プリンタは、ラインサーマルヘッドを用いたラインプリンタがあり、このような小型のラインプリンタになると、インクリボンが幅広のラインサーマルヘッドにあわせて幅広になって、供給コアと巻取りコアも、その長さが長尺となる。
このような長尺の供給コアと巻取りコアを有するインクリボンカセットの組立は、供給コアと巻取りコアの一端部を一方の側壁の軸受け部に挿入すると、供給コアと巻取りコアとは長尺のために、一端部がガタつき、自由端状の他端部が大きく傾倒する。
そのために、ケースの他方の側壁の軸受け部に、供給コアと巻取りコアの他端部を挿入しようとしても、挿入しにくくて、組立に時間が掛かるという問題があった。
【０００５】
本発明は、前述した点に鑑みてなされたもので、幅広のインクリボンを巻回した長尺の供給コアと巻取りコアであっても、組立が容易なインクリボンカセットを提供することを目的とする。
【０００６】
【課題を解決するための手段】
前記課題を解決するための第１の手段として本発明のインクリボンカセットは、インクリボンを巻回した供給コアと巻き取りコアとを内部に収納する本体部と、この本体部から一方側に延びて形成されたリボン案内部と、このリボン案内部の先端部に形成したリボン折り返し部とを備え、前記インクリボンは、前記本体部のリボン引き出し口から外部に一旦引き出されて、前記リボン折り返し部で折り返された状態から、再度前記本体部内に引き入れられて前記巻取りコアで巻き取り可能とし、前記供給コアと前記巻取りコアとを前記本体部に前記リボン案内部の延びる方向と直交する方向に形成された一対の側壁間で回転可能に支持するようにしたインクリボンカセットであって、
前記本体部は、前記リボン案内部を有すると共に前記インクリボンの巻回した前記供給コアと前記巻取りコアとを保持するホルダー部材と、前記供給コアと前記巻取りコアとを第１と第２のケースで外部から覆うように挟み込んで、前記ホルダー部材を保持可能なケース部材とを備え、
前記ホルダー部材には、一対の円形状の軸受け部を有する第１側壁と一対の半円状の軸受け部を有する第２側壁とが形成され、前記ケース部材の前記第２ケースには、前記第２側壁と対向する部分に一対の半円状の軸受け部を有する第３側壁が形成され、前記第１側壁の前記円形の軸受け部で前記供給コアと前記巻取りコアの一端部側を支持すると共に、前記供給コアと前記巻取りコアの他端部側を前記第２と第３側壁の前記半円状の軸受け部で支持するような構成とした。
【０００７】
また、前記課題を解決するための第２の手段として、インクリボンを巻回した供給コアと巻き取りコアとを内部に収納する本体部と、この本体部から一方側に延びて形成されたリボン案内部と、このリボン案内部の先端部に形成したリボン折り返し部とを備え、前記インクリボンは、前記本体部のリボン引き出し口から外部に一旦引き出されて、前記リボン折り返し部で折り返された状態から、再度前記本体部内に引き入れられて前記巻取りコアで巻き取り可能とし、前記供給コアと前記巻取りコアとを前記本体部に前記リボン案内部の延びる方向と直交する方向に形成された一対の側壁間で回転可能に支持するようにしたインクリボンカセットであって、
前記本体部は、前記リボン案内部を有すると共に前記インクリボンの巻回した前記供給コアと前記巻取りコアとを保持するホルダー部材と、前記供給コアと前記巻取りコアとを第１と第２のケースで外部から覆うように挟み込んで、前記ホルダー部材を保持可能なケース部材とを備え、
前記ホルダー部材には、一対の半円状の軸受け部をそれぞれ有する第１と第２側壁が形成され、前記ケース部材の前記第２ケースには、前記第１、第２側壁と対向する部分に一対の半円状の軸受け部をそれぞれ有する第３と第４側壁が形成され、前記供給コアと前記巻取りコアの一端部側を前記第１と第３側壁の前記軸受け部で支持すると共に、前記供給コアと前記巻取りコアの他端部側を前記第２と第４側壁の前記軸受け部で支持するような構成とした。
【０００８】
また、前記課題を解決するための第３の手段として、前記ケース部材は、樹脂材料で形成され、前記第１と第２のケースは、薄肉のヒンジ部で結合され、このヒンジ部を介して、前記第１と第２のケースが回動可能になっている構成とした。
【０００９】
また、前記課題を解決するための第４の手段として、前記ケース部材は、前記第１ケース、または／および第２ケースを回動させることにより、係脱可能な係止部を有し、前記第１と第２のケースで挟み込んだ前記ホルダー部材を、前記係止部の係脱を行って、着脱可能とした構成とした。
【００１１】
【発明の実施の形態】
以下、本発明のインクリボンカセットの実施の形態を、図１〜図６に基づいて説明する。図１は本発明の第１の実施の形態の要部断面図であり、図２は本発明の第１の実施の形態に係わるホルダー部材の図であり、図３は本発明の第１の実施の形態に係わるケース部材の図であり、図４は本発明の第１の実施の形態のケース部材とホルダー部材との組立を説明する図であり、図５は本発明の第２の実施の形態のホルダー部材の図であり、図６は本発明の第２の実施の形態のケース部材の図である。
【００１２】
まず、本発明の第１の実施の形態のインクリボンカセット１は、図１に示すように、インクリボン２を収納する略楕円形状の空洞部が形成された本体部３を有し、この本体部３には、インクリボン２の両端部を巻回した供給コア４と巻き取りコア５とが収納されている。
前記本体部３は、この本体部３から一方側に延びて形成されたリボン案内部６を有すると共に、インクリボン２を巻回した供給コア４と巻取りコア５とを保持する保持するホルダー部材７が配設されている。
【００１３】
このホルダー部材７は樹脂材料からなり、図２に示すように、本体部３を構成する部分に、一対の側壁である第１、第２側壁８、９が、リボン案内部６と直交する方向に、互いに対向して形成されている。
前記第１側壁８は、一対の円形状の軸受け部８ａ、８ｂを有して略楕円形状に形成され、第２側壁９は、一対の半円状の軸受け部９ａ、９ｂを有して、第１側壁８を半分に切断したような形状に形成されている。
また、本体部３から一方側に延びて形成された案内部６は、上面にインクリボン２が摺接可能なリボン摺接面６ａを有し、図示右側端部には、回転自在の折り返しローラ１０ａを有するするリボン折り返し部１０が形成されている。
【００１４】
前記インクリボン２を巻回した供給コア４、巻取りコ５とは、一端部側を第１側壁８の円形状の軸受け部８ａ、８ｂに挿入すると共に、他端側を第２側壁９の半円状の軸受け部９ａ、９ｂに位置させることにより、ホルダー部材７に支持可能になっている。
即ち、本発明のインクリボンカセット１は、供給コア４、巻取りコ５とを、リボン案内部６と直交する方向に配置された一対の第１と第２側壁８、９間で支持するようになっている。
【００１５】
また、本体部３には、ホルダー部材７の、それぞれの軸受け部８ａ、８ｂ、９ａ、９ｂに位置させて保持した状態の供給コア４と巻取りコア５とを、第１と第２のケース１２、１３で外部から覆うように挟み込んで、ホルダー部材７を保持可能なケース部材１１が配設されている。
このケース部材１１は、樹脂材料により成形加工で形成され、図３に示す左側に第１ケース１２と、右側に第２ケース１３とが配設されている。この第１と第２のケース１２、１３は、薄肉のヒンジ部１１ａで結合され、このヒンジ部１１ａを介して、第１と第２のケース１２、１３が回動可能になっている。
【００１６】
また、第１ケース１２には、ヒンジ部１１ａを介して、第１と第２のケース１２、１３を回動させた時に、第１と第２のケース１２、１３を互いを係脱可能な係止部である係止爪１２ａが設けられている。
また、図３Ｂに示す第２ケース１３の上端には、一対の半円状の軸受け部１３ａ、１３ｂを有する第３側壁１３ｃが形成されると共に、第１ケース１２側の係止爪１２ａが挿入されてスナップ係合可能な係止部である、一対の係止孔１３ｄが貫通形成されている。前記第２側壁１３の図示右側端部には、一対の三角形状の用紙ガイド１４が形成されている。
即ち、ケース部材１１は、第１ケース１２、または／および第２ケース１３を、ヒンジ部１１ａを介して回動させることにより、係脱可能な係止部である係止爪１２ａと係止孔１３ｄとが形成されている。
また、ホルダー部材７の一対の第１、第２側壁８、９上に、ケース部材１１の第２ケース１３を位置させると、第２側壁９と第３側壁１３ｃとが互いに対向して当接し、それぞれの半円状の軸受け部９ａ、１３ａ、および、９ｂ、１３ｂとが対向して、円形状の軸受け部が形成されるようになっている。
【００１７】
また、図１に示すように、ホルダー部材７に保持した供給コア４と巻取りコア５とを第１と第２のケース１２、１３で覆うように挟み込むと、供給コア４に巻回したインクリボン２を引き出し可能なスリット状のリボン引き出し口３ａが形成される。
また、リボン案内部６の上面で、リボン摺接面６ａと第１ケース１２との間には、スリット状のリボン引き入れ口３ｂが形成され、供給コア４に巻回されて、リボン引き出し口３ａから引き出されたインクリボン２は、リボン折り返し部１０で折り返された状態から、リボン引き入れ口３ｂを介して、再度本体部３に引き入れられて巻取りコア５で巻取り可能となっている。
【００１８】
前述のような構成のインクリボンカセット１の組立は、ホルダー部材７を、図２Ｃに示すような、第１、第２側壁８、９を上向きになるように姿勢に位置させて、供給コア４の一端部側を第１側壁８の円形の軸受け部８ｂに挿入すると共に、供給コア４の他方部を第２側壁９の半円状の軸受け部９ｂに位置させて保持する。
この状態から、インクリボン２を巻回した巻取りコア５を、図２Ｃに示すリボン案内部６の上部を通過して、リボン折り返し部１０側に移動させ、リボン折り返し部１０からリボン案内部６の下部を、図示左方向に反転させる。
【００１９】
すると、インクリボン２は、供給コア４から引き出され、リボン折り返し部１０で図示下方に折り返されて、リボン案内部６のリボン摺接面６ａ上を導かれる。  この状態から巻取りコア５を、第１と第２側壁８、９上まで移動させ、巻取りコア５の一端部側を第１側壁８の円形の軸受け部８ａに挿入すると共に、巻取りコア５の他端部側を第２側壁９の半円状の軸受け部９ａに位置させて保持する。
すると、供給コア４と巻取りコア５とは、一端側が円形状の軸受け部８ａ、８ｂに支持され、他端部側の図示下半分が半円状の軸受け部９ａ、９ｂに支持されると共に、インクリボン２は、供給コア４からリボン折り返し部１０を経由し、リボン摺接面６ａ上を引き回しされて、巻取りコア５に巻取り可能となる。
【００２０】
次に、図４に示すように、ホルダー部材７のそれぞれの軸受け部８ａ、８ｂ、９ａ、９ｂに両端部側を保持した供給コア４と巻取りコア５の上部を覆うように、ケース部材１１の第２ケース１３をかぶせると、第２側壁９のそれぞれの半円状の軸受け部９ａ、９ｂから上半分が露出した供給コア４と巻取りコア５に、第３側壁１３ｃのそれぞれの半円状の軸受け部１３ａ、１３ｂがかぶさって、供給コア４と巻取りコア５の他端側の外周部全部が、それぞれの軸受け部９ａ、９ｂ、１３ａ、１３ｂに保持される。
【００２１】
この状態で、図４に示す第１ケース１２を矢印Ｈ方向に回動させると、係止部である係止爪１２ａが、第２ケース１３の係止部である係止孔１３ｄにスナップ係合して、供給コア４と巻取りコア５とを第１と第２のケース１２、１３で外部から覆うように挟み込んで、図１に示すようなインクリボンカセット１が組み立てられている。
このような、インクリボンカセット１に収納されたインクリボン２は、図１に示すように、リボン引き出し口３ａから外部に一旦引き出されて、リボン折り返し部１０で折り返された状態から、リボン引き入れ口３ｂを介して再度本体部３に引き入れられて、巻取りコア５で巻取り可能になっている。
また、ケース部材１１は、第１ケース１２、または／および第２のケース１３を回動させることにより、係止爪１２ａと係止孔１３ｄとからなる係止部が係脱可能となっており、第１と第２のケース１２、１３で挟み込んだホルダー部材７を、前記係止部の係脱を行ってケース部材１１と着脱可能となっている。
【００２２】
また、本発明の第２の実施の形態を、図５、６に基づいて説明する。まず、本体部３の一部を構成するホルダー部材１７は、図５に示すように、一対の半円状の軸受け部１８ａ、１８ｂを有する第１側壁１８と、一対の半円状の軸受け部１９ａ、１９ｂを有する第２側壁とが形成され、リボン案内部１６には、リボン摺接面１６ａ、および折り返しローラ２０ａを有するリボン折り返し部２０とが形成されている。
【００２３】
また、本体部３の一部を構成するケース部材２１は、図６に示すように、第１ケース２２と第２ケース２３とが、薄肉のヒンジ部２１ａで結合されて一体化されている。前記第２ケース２３には、ホルダー部材１７の第１側壁１８と対向する部分に、一対の半円状の軸受け部２３ａ、２３ｂを有する第３側壁２３ｃと、ホルダー部材１７の第２側壁１９と対向する部分に、一対の半円状の軸受け部２４ａ、２４ｂを有する第４側壁２４とが形成されている。即ち、それぞれの側壁の、それぞれの軸受け部は、全て半円状に形成されている。
【００２４】
このような第２の実施の形態では、供給コア４と巻取りコア５の一端部側を、第１と第３の側壁１８、２３ｃのそれぞれの軸受け部１８ａ、１８ｂ、２３ａ、２３ｂで支持すると共に、供給コア４と巻取りコア５の他端部側を第２と第４の側壁１９、２４のそれぞれの軸受け部１９ａ、１９ｂ、２４ａ、２４ｂで支持するようになっている。
【００２５】
このような、本発明の第２の実施の形態は、供給コア４と巻取りコア５とを、ホルダー部材１７のそれぞれの半円状の軸受け部１８ａ、１８ｂ、１９ａ、１９ｂに載置した状態で、供給コア４と巻取りコア５とを第１と第２のケース２２、２３で覆うように挟み込めば良いので、第１の実施の形態のように、供給コア４と巻取りコア５の一端部側を円形状の軸受け部８ａ、８ｂに挿入する作業が不要になり、第１の実施の形態より組立性が更に良くなる。
【００２６】
【発明の効果】
以上述べたように、本発明のインクリボンカセットは、供給コアと前記巻取りコアとを内部に収納する本体部と、この本体部から一方側に延びて形成されたリボン案内部とを備え、前記供給コアと前記巻取りコアとを前記リボン案内部と直交する方向に形成された一対の側壁間で回転可能に支持するようにしたので、供給コアと前記巻取りコアとが長尺であっても、供給コアと前記巻取りコアの両端部側を前記一対の壁間で支持して組立ができるので、組立性の良いインクリボンカセットを提供できる。
【００２７】
また、第１側壁の円形の軸受け部に供給コアと巻取りコアの一端部側を支持すると共に、供給コアと巻取りコアの他端部側を第２側壁と第３側壁の半円状の軸受け部で支持するようにしたので、供給コアと巻取りコアとが長尺であっても、ホルダー部材の第１と第２の側壁のそれぞれの軸受け部に、供給コアと巻取りコアの両端部側を保持した状態で、供給コアと巻取りコアとを覆うようにケース部材を組み付けることができ、組立効率の良いインクリボンカセットを提供できる。
また、第１側壁の軸受け部を円形状にすることにより、軸受け部の寸法精度を高精度に形成することができ、円形状の軸受け部に、供給コアと巻取りコアの一端部側をガタなく軸支することができ、巻取り時のインクリボンに斜行等のない高精度な巻き取りが可能となる。
【００２８】
また、供給コアと巻取りコアの一端部側を第１と第３の側壁の半円状の軸受け部で支持すると共に、供給コアと巻取りコアの他端部側を第２と第４の側壁の半円状の軸受け部で支持するようにしたので、ホルダー部材の第１と第２の側壁のそれぞれの半円状の軸受け部に、供給コアと巻取りコアの両端部側を上方から載置するだけでホルダー部材に供給コアと巻取りコアとに仮保持することができ、更に組立の容易なインクリボンカセットを提供できる。
【００２９】
また、ケース部材は、樹脂材料で形成され、前記第１と第２のケースは、薄肉のヒンジ部で結合され、このヒンジ部を介して、前記第１と第２のケースが回動可能になっているので、ケース部材は、第１と第２のケースがヒンジ部によって一体化され、部品点数を削減することができる。
【００３０】
また、ケース部材は、第１ケース、または／および第２ケースを回動させることにより、係脱可能な係止部を有し、前記第１と第２のケースで挟み込んだホルダー部材を、前記係止部の係脱を行って着脱可能としたので、第１と第２のケースを回動させて、ホルダー部材をケース部材から着脱することができ、消耗品であるインクリボンを巻回した供給コアと巻取りコアとを容易に交換することができ、ケース部材、およびホルダー部材を再利用することができる。そのために、環境にやさしいインクリボンカセットを提供できる。
【図面の簡単な説明】
【図１】本発明の第１の実施の形態の要部断面図である。
【図２】本発明の第１の実施の形態に係わるホルダー部材の図である。
【図３】本発明の第１の実施の形態に係わるケース部材の図である。
【図４】本発明の第１の実施の形態のケース部材とホルダー部材との組立を説明する図である。
【図５】本発明の第２の実施の形態のホルダー部材の図である。
【図６】本発明の第２の実施の形態のケース部材の図である。
【符号の説明】
１  本発明のインクリボンカセット
２  インクリボン
３  本体部
４  供給コア
５  巻取りコア
６  リボン案内部
７  ホルダー部材
８  第１側壁
８ａ、８ｂ  軸受け部
９  第２側壁
９ａ、９ｂ  軸受け部
１０  リボン折り返し部
１１  ケース部材
１２  第１ケース
１２ａ  係止爪
１３  第２ケース
１３ａ、１３ｂ  軸受け部
１３ｃ  第３側壁
１３ｄ  係止孔
【図１】
0003643280.tif 000002
【図２】
0003643280.tif 000003
【図３】
0003643280.tif 000004
【図４】
0003643280.tif 000005
【図５】
0003643280.tif 000006
【図６】
0003643280.tif 000007